【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
動画データを取得する取得手段と、
前記取得手段により取得された動画データを記録媒体に記録する記録手段と、
動画データにおける区間の開始の指示と終了の指示とを受け付ける指示入力手段と、
前記記録媒体に記録された動画データにおいて再生すべき区間を指定する再生制御情報を生成する生成手段であって、動画データの記録開始位置から記録停止位置までを再生すべき区間として指定する第１の再生制御情報と、前記記録媒体に記録された動画データの一部を再生すべき区間として指定する第２の再生制御情報とを生成する生成手段と、を有し、
前記生成手段は、
第１の記録モードにおいて、前記記録手段により記録された動画データの記録開始位置から記録停止位置までを再生すべき区間として指定した前記第１の再生制御情報を生成し、
第２の記録モードにおいて、前記記録手段により記録された動画データの記録開始位置から記録停止位置までを再生すべき区間として指定した前記第１の再生制御情報を生成するとともに、前記記録媒体への動画データの記録中に前記指示入力手段により受け付けられた前記区間の開始の指示と前記区間の終了の指示とに基づき、前記記録中の動画データにおける、前記区間の開始の指示に対応した位置から前記区間の終了の指示に対応した位置までを再生すべき区間として指定した前記第２の再生制御情報を生成する
ことを特徴とする記録装置。
【請求項２】
前記第１の記録モード及び前記第２の記録モードにおいて、
前記生成手段は、動画データの記録開始の前に前記記録媒体に記録されている前記第１の再生制御情報に対して、新たに前記記録媒体に記録された動画データの記録開始位置から記録停止位置までを再生すべき区間として追加した前記第１の再生制御情報を生成し、
前記記録手段はさらに、前記追加した再生すべき区間を含む前記第１の再生制御情報により前記記録媒体に記録されている第１の再生制御情報を更新し、
前記第２の記録モードにおいて、
前記生成手段は、動画データの記録開始に応じて前記第２の再生制御情報を新たに生成し、
前記記録手段はさらに、前記新たに生成された第２の再生制御情報を前記記録媒体に記録する
ことを特徴とする請求項１に記載の記録装置。
【請求項３】
前記生成手段は、前記第２の記録モードにおける動画データの記録開始位置を前記第２の再生制御情報における最初の再生すべき区間の開始位置として指定することを特徴とする請求項１または２に記載の記録装置。
【請求項４】
前記記録手段は、前記第２の記録モードにおいて、前記記録媒体への動画データの記録ができないこと、前記記録装置が前記第２の記録モードから前記第１の記録モードに切り替えられたこと、または前記記録装置が前記第２の記録モードと前記第１の記録モードとは異なる他のモードに切り替えられたこと、のいずれかの条件に従い、前記動画データの記録を停止することを特徴とする請求項１から３のいずれか１項に記載の記録装置。
【請求項５】
前記指示入力手段は、１つの特定の操作部材に対する操作入力を、前記区間の開始の指示あるいは前記区間の終了の指示として交互に認識することを特徴とする請求項１から４のいずれか１項に記載の記録装置。
【請求項６】
前記記録手段は、前記第１の記録モードにおいて、前記特定の操作部材に対する操作入力に応じて動画データの記録を開始し、次の操作入力に応じて動画データの記録を停止することを特徴とする請求項５に記載の記録装置。
【請求項７】
前記記録手段はさらに、前記第１の記録モードにおいて、前記動画データの記録停止に応じて前記第１の再生制御情報を前記記録媒体に記録し、前記第２の記録モードにおいて、前記動画データの記録停止に応じて前記第１の再生制御情報と前記第２の再生制御情報とを前記記録媒体に記録することを特徴とする請求項１に記載の記録装置。
【請求項８】
前記取得手段は撮像手段を含むことを特徴とする請求項１から７のいずれか１項に記載の記録装置。
【請求項９】
動画データを取得する取得工程と、
前記取得工程において取得された動画データを記録媒体に記録する記録工程と、
動画データにおける区間の開始の指示と終了の指示とを受け付ける指示入力工程と、
前記記録媒体に記録された動画データにおいて再生すべき区間を指定する再生制御情報を生成する生成工程であって、動画データの記録開始位置から記録停止位置までを再生すべき区間として指定する第１の再生制御情報と、前記記録媒体に記録された動画データの一部を再生すべき区間として指定する第２の再生制御情報とを生成する生成工程と、を有し、
前記生成工程において、
第１の記録モードでは、前記記録工程において記録された動画データの記録開始位置から記録停止位置までを再生すべき区間として指定した前記第１の再生制御情報が生成され、
第２の記録モードでは、前記記録工程において記録された動画データの記録開始位置から記録停止位置までを再生すべき区間として指定した前記第１の再生制御情報を生成するとともに、前記記録媒体への動画データの記録中に前記指示入力工程において受け付けられた前記区間の開始の指示と前記区間の終了の指示とに基づき、前記記録中の動画データにおける、前記区間の開始の指示に対応した位置から前記区間の終了の指示に対応した位置までを再生すべき区間として指定した前記第２の再生制御情報を生成する
ことを特徴とする記録装置の制御方法。
【手続補正２】
【補正対象書類名】明細書
【補正対象項目名】発明の名称
【補正方法】変更
【補正の内容】
【発明の名称】記録装置及び制御方法
【手続補正３】
【補正対象書類名】明細書
【補正対象項目名】０００１
【補正方法】変更
【補正の内容】
【０００１】
本発明は記録装置及び制御方法に関する。
【手続補正４】
【補正対象書類名】明細書
【補正対象項目名】０００６
【補正方法】変更
【補正の内容】
【０００６】
本発明は、上述の問題点に鑑みてなされたものであり、ユーザの意図するシーンが含まれる動画を記録し、該動画の所望のシーンを容易に確認可能な記録装置及び制御方法を提供することを目的とする。
【手続補正５】
【補正対象書類名】明細書
【補正対象項目名】０００７
【補正方法】変更
【補正の内容】
【０００７】
前述の目的を達成するために、本発明の記録装置は、以下の構成を備えることを特徴とする。具体的には記録装置は、動画データを取得する取得手段と、取得手段により取得された動画データを記録媒体に記録する記録手段と、動画データにおける区間の開始の指示と終了の指示とを受け付ける指示入力手段と、記録媒体に記録された動画データにおいて再生すべき区間を指定する再生制御情報を生成する生成手段であって、動画データの記録開始位置から記録停止位置までを再生すべき区間として指定する第１の再生制御情報と、記録媒体に記録された動画データの一部を再生すべき区間として指定する第２の再生制御情報とを生成する生成手段と、を有し、生成手段は、第１の記録モードにおいて、記録手段により記録された動画データの記録開始位置から記録停止位置までを再生すべき区間として指定した第１の再生制御情報を生成し、第２の記録モードにおいて、記録手段により記録された動画データの記録開始位置から記録停止位置までを再生すべき区間として指定した第１の再生制御情報を生成するとともに、記録媒体への動画データの記録中に指示入力手段により受け付けられた区間の開始の指示と区間の終了の指示とに基づき、記録中の動画データにおける、区間の開始の指示に対応した位置から区間の終了の指示に対応した位置までを再生すべき区間として指定した第２の再生制御情報を生成することを特徴とする。